(57)【要約】【課題】スイッチ機構を備えた電子機器において、コストを抑えた電子機器を提供する。【解決手段】メイン基板２４に接続されている電源スイッチ２２の接続用のサブ基板を省き、メイン基板２４に電源スイッチ２２を設置する。また、Ｌ字型のクランクアーム２５を設置する。クランクアーム２５は、シャフト２９を軸としてスプリング２７でテンションがかけられて固定されている。一方の端部は、電源ボタン２２に近接する（接触する）ように設置する。電源ボタン２１が押されると、クランクアーム２５はシャフト２９を軸として回動し、他方の先端部分の突起部２５２が電源スイッチ２２を押下する。これにより、電源スイッチ用の基板やフレキシブルプリント基板を省いてコストを抑える。【選択図】  図３
2008305605.tif 000002
【特許請求の範囲】
【請求項１】
スイッチ機構を備えた電子機器において、
電子機器の内部方向に実装面を有するメイン基板上に実装されるスイッチと、
前記スイッチが押下される方向と異なる向きに押下されるように設置される、利用者が押下する操作用ボタンと、
１の軸を中心として回動するクランクアームと、
を備え、
前記クランクアームの一方の先端付近が前記操作用ボタンに当接し、他方の先端付近が前記スイッチに近接するように構成されていることを特徴とする電子機器。
【請求項２】
前記電子機器の本体に固定されるフレームを備え、
前記クランクアームは、前記一方の先端と他方の先端との途中で異なる向きに曲げられ、この曲げられる箇所においてシャフトが貫通する穴が設けられ、
前記シャフトが前記フレームに回動自在に接続されることで、前記クランクアームは１の軸を中心として回動することを特徴とする請求項１に記載の電子機器。
【請求項３】
前記クランクアームは、前記フレームにスプリングを介して接続され、前記スプリングにより、テンションをかけられて、前記シャフトを軸として回動自在にフレームに接続されていることを特徴とする請求項２に記載の電子機器。
【発明の詳細な説明】
【技術分野】
【０００１】
この発明は、スイッチ機構を備えた電子機器に関する。
【背景技術】
【０００２】
従来、デジタルビデオカメラ等の電子機器では、メイン基板にサブ基板を接続し、サブ基板にスイッチ機構を備えたものがある。
【０００３】
図１は、従来の電子機器のスイッチ機構周辺を示した図である。メイン基板１４は、垂直方向（電子機器の上下方向）に縦向きに設置されており、実装面が機器内部方向を向いている。この実装面にサブ基板１３が接続されている。サブ基板１３は、水平方向に横向きに設置され、実装面が上方向を向いている。サブ基板１３の上面には電源スイッチ１２が実装されている。電源ボタン１１が押下されると、この電源ボタン１１の下部にある突部が電源スイッチ１２を押下する。
また、このような電子機器に設置されるスイッチ機構の態様としては、例えば特許文献１〜４のようなものが開示されている。
【特許文献１】特開２００６−２９２８８５公報
【特許文献２】特開平５−６６４６１号公報
【特許文献３】特開平４−３４１７１５号公報
【特許文献４】特開２００３−２７４２３８公報
【発明の開示】
【発明が解決しようとする課題】
【０００４】
しかしながら、図１に示した従来の電子機器では、ボタン１１の押下方向と、メイン基板１４の実装方向とが異なるため、メイン基板１４とは別にサブ基板１３を設置する必要があった。また、直交するメイン基板１４とサブ基板１３を接続するフレキシブルプリント基板が必要となり、コストがかかるという問題が有った。
【０００５】
一方、特許文献１〜４に示したスイッチ機構を図１に示した電子機器に適用したとしても、サブ基板やフレキシブルプリント基板が必要であることに変わりなく、コストを抑えることができなかった。
【０００６】
そこで、本発明は、スイッチ機構を備えた電子機器において、コストを抑えた電子機器を提供することを目的とする。
【課題を解決するための手段】
【０００７】
この発明の電子機器は、スイッチ機構を備えた電子機器において、電子機器の内部方向に実装面を有するメイン基板上に実装されるスイッチと、前記スイッチが押下される方向と異なる向きに押下されるように設置される、利用者が押下する操作用ボタンと、１の軸を中心として回動するクランクアームと、を備え、前記クランクアームの一方の先端付近が前記操作用ボタンに当接し、他方の先端付近が前記スイッチに近接するように構成されていることを特徴とする。
【０００８】
この構成では、メイン基板上にスイッチを実装する。スイッチは機器内部方向に押下面が向いている。また、操作用ボタンが設置される。電源ボタンは、スイッチが押下される方向と異なる向きに押下されるように設置される。クランクアームは、一方の端部が操作用ボタン当接し、他方の端部がスイッチに近接するように構成されている。したがって、メイン基板上にスイッチを実装して、サブ基板を省いたとしても、電源ボタンを押下すると電源スイッチが押下される。
【０００９】
また、この発明は、さらに、前記電子機器の本体に固定されるフレームを備え、前記クランクアームは、前記一方の先端と他方の先端との途中で異なる向きに曲げられ、この曲げられる箇所においてシャフトが貫通する穴が設けられ、前記シャフトが前記フレームに回動自在に接続されることで、前記クランクアームは１の軸を中心として回動することを特徴とする。
【００１０】
この構成では、クランクアームが途中で曲げられ、この曲げられている箇所において穴が開けられている。この穴にシャフトが貫通し、フレームに回動自在に取り付けられる。したがって、操作用ボタンを押下すると、クランクアームがシャフトを軸として回動し、スイッチを押下する。
【００１１】
また、この発明は、さらに、前記クランクアームは、前記フレームにスプリングを介して接続され、前記スプリングにより、テンションをかけられて、前記シャフトを軸として回動自在にフレームに接続されていることを特徴とすることを特徴とする。
【００１２】
この構成では、クランクアームがスプリングによりテンションをかけられてフレームに接続される。利用者が操作用ボタンを放すと、テンションにより操作用ボタンを元に戻す。
【発明の効果】
【００１３】
この発明によれば、実装面が機器内部方向を向いており、利用者の操作用ボタンの押下される方向が、この実装面と異なる方向を向いている電子機器であっても、サブ基板やフレキシブルプリント基板を省略することができるため、コストを抑えることができる。
【発明を実施するための最良の形態】
【００１４】
以下、本発明の実施形態について説明する。本実施形態では、本発明を適用した例としてデジタルビデオカメラを示す。なお、デジタルビデオカメラ以外にも、カメラ付携帯電話など、その他の電子機器にも本発明を適用可能である。
【００１５】
図２は、本実施形態のデジタルビデオカメラ１の主要構成を示すブロック図である。
【００１６】
デジタルビデオカメラ１は、バスを介してそれぞれ接続される制御部１０１、操作部１０２、表示部１０３、撮像部１０４、および記憶部１０５を備えている。
【００１７】
制御部１０１は、マイコン等からなり、デジタルビデオカメラ１全体を統括的に制御する。操作部１０２は、電源ボタンやその他の操作ボタンを備え、ユーザの入力操作を受け付ける。表示部１０３は、液晶等の表示デバイスからなり、操作部１０２におけるユーザの入力操作等に応じた表示を行う。撮像部１０４は、映像を撮影する撮像素子等からなり、制御部１０１の指示に基づいて映像を撮影し、映像データを出力する。記憶部１０５は、フラッシュメモリやＨＤＤ等からなり、撮像部１０４で撮影した映像データを記憶する記憶部である。なお、図示はしないが、制御部１０１の動作用プログラムを記憶した記憶部やワークメモリであるＲＡＭ等もこのデジタルビデオカメラ１に搭載されている。また、本実施形態において撮像素子１０４や記憶部１０５は必須の構成要素ではない。操作部を備えた電子機器であればどのようなものであってもよい。
【００１８】
この実施形態のデジタルビデオカメラ１は、上記各構成部を搭載した回路基板を内部に収納している。以下、操作部１０２が搭載される回路基板周囲の構成について説明する。
【００１９】
図３は、操作部１０２の周囲を拡大した側面図（断面図）であり、図４は、同斜視図である。図３、および図４においては、操作部１０２の例として電源ボタンを示す。なお、図３において、紙面上側をデジタルビデオカメラ１の上側であるＺ方向、紙面下側をデジタルビデオカメラ１の下側である−Ｚ方向とし、紙面右側をデジタルビデオカメラ１の左側である−Ｘ方向、紙面左側をデジタルビデオカメラ１の右側であるＸ方向とする。また、図４において、Ｙ方向をデジタルビデオカメラ１の正面側、−Ｙ方向を背面側とする。
【００２０】
電源ボタン２１は、円柱形状のボタンからなり、底面中央付近に突起部２１１が設けられている。この突起部２１１の底面付近に、クランクアーム２５の一方の端部に設けられた突起部２５１が対向する。クランクアーム２５は、側面から見てＬ字型であり、Ｌ字型に曲げられる箇所において円形の穴が開けられ、この穴にシャフト２９が通されている。シャフト２９は、クランクアーム２５の上記穴を貫通する円柱形状の棒からなり、フレーム２５に回動自在に接続される。クランクアーム２５は、このシャフト２９を軸として回動できるようになっている。なお、クランクアーム２５の形状は、一方の端部に設けられた突起部２５１と他方の端部に設けられた突起部２５２が相対的に垂直方向に向いていれば、アームの途中はどの様な形状であってもよい。例えば、図３に示したように、一方の端部に向けては水平方向に平行なアームを形成し、他方の端部に向けては、斜め方向にアームを形成して、途中で下方向に垂直に向くようなアームとすればよい。
【００２１】
メイン基板２４は、垂直方向（Ｚ，−Ｚ方向）に縦向きに設置されており、実装面が機器内部方向（−Ｘ方向）を向いている。実装面には電源スイッチ２２が実装されている。電源スイッチ２２は、押下される面がメイン基板２４の実装面と同じ機器内部方向（−Ｘ方向）に向いている。
【００２２】
クランクアーム２５の他方の端部には、突起部２５２が設けられており、この突起部２５２は、電源スイッチ２２の押下される面に対向するように（接触するように）設けられている。クランクアーム２５は、上記シャフト２９を軸として回動することができるが、クランクアーム２５に固定接続されているｅリング２８、およびｅリング２８にはめ込まれているスプリング（ねじりコイルばね）２７によってテンションを掛けられてフレーム２６に固定される。すなわち、テンションがかけられた状態では、クランクアーム２５の一方の端部の突起部２５１が電源ボタンの突起部２１１に接触し、電源ボタン２１を上方向に押し上げている。
【００２３】
ここで、ユーザが電源ボタン２１を押下すると、上記クランクアーム２５の一方の端部の突起部２５１が押し下げられ、クランクアーム２５は、シャフト２９を軸として回動する。その結果、クランクアーム２５の他方の端部に設けられた突起部が横方向（Ｘ方向）に移動し、この突起部が電源スイッチ２２を押下する。
【００２４】
これにより、ユーザが電源ボタン２１を押すと、電源スイッチ２２が押下されることとなる。ユーザが電源ボタン２１を放すと、スプリング２７のテンションによりクランクアーム２５が逆方向に回動し、電源スイッチ２２の押下が解除され、電源ボタン２１が押し上げられる。
【００２５】
したがって、電源ボタン２１の真下に電源スイッチ２２を設ける必要が無く、メイン基板２４から電源ボタン２１の真下に延びるサブ基板を構成しなくともよい。そのため、サブ基板やフレキシブルプリント基板を省略することができ、これらの実装工程も省くことができる。また、電気的接触面が減少するため（特にフレキシブルプリント基板を省略することができるため）、接点不良を引き起こす可能性が著しく低下する。
【００２６】
なお、上記例では、電源ボタン、電源スイッチを示したが、他のスイッチ等にも適用可能である。
【図面の簡単な説明】
【００２７】
【図１】従来の電子機器のスイッチ機構を示した図である。
【図２】本実施形態のデジタルビデオカメラの主要構成を示すブロック図である。
【図３】操作部周囲を拡大した断面側面図である。
【図４】操作部周囲を拡大した斜視図である。
【符号の説明】
【００２８】
２１−電源ボタン
２２−電源スイッチ
２３−メイン基板
２４−クランクアーム
２５−フレーム
２６−スプリング
２７−ｅリング
２８−シャフト
【図１】
2008305605.tif 000003
【図２】
2008305605.tif 000004
【図３】
2008305605.tif 000005
【図４】
2008305605.tif 000006